【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
アドホックネットワーク内で第１無線装置を動作させる方法であって、
前記第１無線装置の上位層からの接続呼に応答して前記第１無線装置をオンにするステップと、
前記第１無線装置から、以前に発見された第２無線装置へ接続要求パケットを送信するステップであって、前記接続要求パケットが、仮想関連付け要求として動作形式を識別する特別な情報要素（ＩＥ）を含むユニキャストプローブ要求パケット又は認証パケットを含み、前記第２無線装置が、前記特別な情報要素（ＩＥ）を含むユニキャストプローブ要求パケット又は認証パケットを前記接続要求パケットとして認識するよう構成されてなるステップと、
タイムアウト期間内に接続応答パケットが前記第１無線装置によって前記第２無線装置から受信される場合、前記第２無線装置に対する接続を確立するステップと、
前記タイムアウト期間内に接続応答パケットが前記第１無線装置によって前記第２無線装置から受信されない場合、接続失敗を指示するステップと
を含む方法。
【請求項２】
前記第１無線装置が、前記第２無線装置から接続要求パケットを受信するステップと、
前記接続要求パケットが前記第１無線装置によって有効接続要求として識別される場合、接続応答パケットを前記第２無線装置に送信し、確立された接続を記録するステップと、
前記接続要求パケットが前記第１無線装置によって有効接続要求として識別されない場合、現状に留まるステップと
を更に含む、請求項１に記載の方法。
【請求項３】
前記第１無線装置が、前記第２無線装置から接続応答パケットを受信する前に、前記第２無線装置から接続要求パケットを受信するステップと、
前記第２無線装置のネットワークアドレスが、前記第１無線装置のネットワークアドレスに関して基準を満たす場合、前記第１無線装置が、前記第２無線装置に接続応答パケットを送信し、前記第１無線装置自身の接続要求を取り消すステップと、
前記第２無線装置の前記ネットワークアドレスが、前記第１無線装置の前記ネットワークアドレスに関して前記基準を満たさない場合、前記第１無線装置が、前記第２無線装置からの前記受信された接続要求を無視するステップと
を更に含む、請求項１に記載の方法。
【請求項４】
前記接続呼に応答して前記第１無線装置をアドホックネットワークチャネルに切り換えるステップを更に含む、請求項１に記載の方法。
【請求項５】
関連付けされた無線装置からのパケットを監視するステップと、
所定時間にわたって、前記関連付けされた無線装置からパケットが受信されない場合、前記関連付けされた無線装置から関連付け解除するステップと、
そうでなければ、前記関連付けされた無線装置との関連付けを継続するステップと
を更に含む、請求項１に記載の方法。
【請求項６】
開放呼に応答して前記第１無線装置から前記第２無線装置へ開放要求パケットを送信するステップと、
接続済み装置リストから前記第２無線装置を除去するステップと
を更に含む、請求項１に記載の方法。
【請求項７】
前記第１無線装置が、前記第２無線装置から開放要求パケットを受信するステップと、
前記開放要求パケットが前記第１無線装置によって識別される場合、接続済み装置リストから前記第２無線装置を除去するステップと、
前記開放要求パケットが前記第１無線装置によって識別されない場合、前記開放要求パケットを無視するステップと
を更に含む、請求項１に記載の方法。
【請求項８】
アドホックネットワーク内で第１無線装置を動作させる方法であって、
前記第１無線装置が、以前に発見された第２無線装置から接続要求パケットを受信するステップであって、前記接続要求パケットが、仮想関連付け要求として動作形式を識別する特別な情報要素（ＩＥ）を含むユニキャストプローブ要求パケット又は認証パケットを含み、前記第１無線装置が、前記特別な情報要素（ＩＥ）を含むユニキャストプローブ要求パケット又は認証パケットを前記接続要求パケットとして認識するよう構成されてなるステップと、
前記接続要求パケットが前記第１無線装置によって有効接続要求として識別される場合、接続応答パケットを前記第２無線装置に送信し、確立された接続を記録するステップと、
前記接続要求パケットが前記第１無線装置によって有効接続要求として識別されない場合、現状に留まるステップと、
前記第１無線装置が、前記第２無線装置へ接続要求パケットを送信するステップと、
前記第１無線装置が、前記第２無線装置から接続要求パケットを受信する前に、前記第２無線装置から前記接続要求パケットを受信するステップと、
前記第２無線装置のネットワークアドレスが、前記第１無線装置のネットワークアドレスに関して基準を満たす場合、前記第１無線装置が、前記第２無線装置に接続応答パケットを送信し、前記第１無線装置自身の接続要求を取り消すステップと、
前記第２無線装置の前記ネットワークアドレスが、前記第１無線装置の前記ネットワークアドレスに関して前記基準を満たさない場合、前記第１無線装置が、前記第２無線装置からの前記受信された接続要求を無視するステップと
を含む方法。
【請求項９】
直接プローブ要求パケットを、前記接続要求を記述する特別な情報要素に適合させることによって、前記接続要求パケットを識別するステップを更に含む、請求項８に記載の方法。
【請求項１０】
前記接続要求パケットを所定のパケットパターンに適合させることによって前記接続要求パケットを識別するステップを更に含む、請求項８に記載の方法。
【請求項１１】
関連付けされた無線装置からのパケットを監視するステップと、
所定時間にわたって前記関連付けされた無線装置からパケットが受信されない場合、前記関連付けされた無線装置との関連付けを解除するステップと、
そうでなければ、前記関連付けされた無線装置との関連付けを継続するステップと
を更に含む、請求項８に記載の方法。
【請求項１２】
開放呼に応答して前記第１無線装置から前記第２無線装置へ開放要求パケットを送信するステップと、
接続済み装置リストから前記第２無線装置を除去するステップと
を更に含む、請求項８に記載の方法。
【請求項１３】
前記第１無線装置が、前記第２無線装置から開放要求パケットを受信するステップと、
前記開放要求パケットが前記第１無線装置によって識別される場合、接続済み装置リストから前記第２無線装置を除去するステップと、
前記開放要求パケットが前記第１無線装置によって識別されない場合、前記開放要求パケットを無視するステップと
を更に含む、請求項８に記載の方法。
【請求項１４】
コンピューティング装置と、
無線機と、
前記コンピューティング装置及び前記無線機に論理的に接続された無線モジュールと
を備え、
前記無線モジュールは、
接続呼に応答して前記無線機をオンにする命令、
以前に発見された第２無線装置へ接続要求パケットを送信する命令であって、前記接続要求パケットが、仮想関連付け要求として動作形式を識別する特別な情報要素（ＩＥ）を含むユニキャストプローブ要求パケット又は認証パケットを含み、前記第２無線装置が、前記特別な情報要素（ＩＥ）を含むユニキャストプローブ要求パケット又は認証パケットを前記接続要求パケットとして認識するよう構成されてなる命令と、
タイムアウト期間内に接続応答パケットが前記第２無線装置から受信される場合、前記第２無線装置に対する接続を確立する命令、及び、
前記タイムアウト期間内に接続応答パケットが前記第２無線装置から受信されない場合、接続失敗を指示する命令
をプログラムされたプロセッサを備える無線装置。
【請求項１５】
前記命令は、
前記無線装置が、第２無線装置から接続要求パケットを受信する命令、
前記接続要求パケットが前記無線装置によって有効接続要求として識別される場合、接続応答パケットを前記第２無線装置に送信し、確立された接続を記録する命令、及び、
前記接続要求パケットが前記無線装置によって有効接続要求として識別されない場合、現状に留まる命令
を更に含む、請求項１４に記載の無線装置。
【請求項１６】
前記命令は、
前記無線装置が、前記第２無線装置から接続応答パケットを受信する前に、前記第２無線装置から接続要求パケットを受信する命令、
前記第２無線装置のネットワークアドレスが、前記無線装置のネットワークアドレスに関して基準を満たす場合、前記無線装置が、前記第２無線装置に接続応答パケットを送信し、前記無線装置自身の接続要求を取り消す命令、及び、
前記第２無線装置のネットワークアドレスが、前記無線装置のネットワークアドレスに関して前記基準を満たさない場合、前記無線装置が、前記第２無線装置からの前記受信された接続要求を無視する命令
を更に含む、請求項１４に記載の無線装置。
【請求項１７】
前記命令は、直接プローブ要求パケットを、前記接続要求を記述する特別な情報要素に適合させることによって、前記接続要求パケットを識別する命令を更に含む、請求項１４に記載の無線装置。
【請求項１８】
前記命令は、前記接続要求パケットを所定のパケットパターンに適合させることによって前記接続要求パケットを識別する命令を更に含む、請求項１４に記載の無線装置。
【請求項１９】
前記命令は、
関連付けされた無線装置からのパケットを監視する命令、
所定時間にわたって前記関連付けされた無線装置からパケットが受信されない場合、前記関連付けされた無線装置から関連付け解除する命令、
そうでなければ、前記関連付けされた無線装置との関連付けを継続する命令
を更に含む、請求項１４に記載の無線装置。